【事件の表示】
　平成１１年特許願第３０６８１７号「検索システム、検索装置、検索方法および検索結果の表示方法、端末装置、ならびに、記録媒体」拒絶査定不服審判事件〔平成１３年　５月１１日出願公開、特開２００１−１２５９１４〕について、次のとおり審決する。
【結　論】
　本件審判の請求は、成り立たない。
【理　由】
１．手続の経緯
　本願は、平成１１年１０月２８日の出願であって、平成１９年１２月１４日付けで拒絶理由が通知され、これに対し、平成２０年２月２２日付けで手続補正がなされたが、同年４月１日付けで拒絶査定がされ、これに対し、同年５月８日に拒絶査定不服審判の請求がなされるとともに、同年５月１９日付けで手続補正がなされたものである。
　
２．平成２０年５月１９日付けの手続補正についての補正却下の決定
　
［補正却下の決定の結論］
　平成２０年５月１９日付けの手続補正を却下する。
　
［理由］
（１）補正後の本願発明
　平成２０年５月１９日付け手続補正（以下「本件補正」という。）により、特許請求の範囲の請求項１は、
「放送されたコンテンツを検索する検索システムにおいて、少なくともコンテンツが放送された時刻に対応する情報を所定の操作により記憶する記憶手段と、
　上記記憶手段に記憶された上記時刻に対応する情報を外部に転送する第１の通信手段と
を備える入力装置と、
　コンテンツを示す情報と該コンテンツの放送時刻とが対応付けられて蓄積される蓄積手段と、
　時刻に対応する情報に基づき上記蓄積手段に蓄積された上記コンテンツを示す情報を検索する検索手段と
を備える検索装置と、
　上記入力装置から上記第１の通信手段によって転送された上記時刻に対応する情報を受信する第２の通信手段と、
　上記第２の通信手段により受信された上記時刻に対応する情報を上記検索装置に転送し、上記検索装置から転送された上記検索の結果を受信する第３の通信手段と、
　上記第２の通信手段によって受信された上記時刻に対応する情報に基づく表示と、上記検索装置による上記検索の結果に基づく表示とを行う単一の表示手段と
を備える端末装置と
を有することを特徴とする検索システム。」
　
から、
「放送されたコンテンツを検索する検索システムにおいて、少なくともコンテンツが放送された時刻に対応する情報を所定の操作により記憶する記憶手段と、
　上記記憶手段に記憶された上記時刻に対応する情報を外部に転送する第１の通信手段と
を備える入力装置と、
　コンテンツを示す情報と該コンテンツの放送時刻とが対応付けられて蓄積される蓄積手段と、
　時刻に対応する情報に基づき上記蓄積手段に蓄積された上記コンテンツを示す情報を検索する検索手段と
を備える検索装置と、
　上記入力装置から上記第１の通信手段によって転送された上記時刻に対応する情報を受信する第２の通信手段と、
　上記第２の通信手段により受信された上記時刻に対応する情報を上記検索装置に転送し、上記検索装置から転送された上記検索の結果を受信する第３の通信手段と、
　上記第２の通信手段によって受信された上記時刻に対応する情報に基づく表示と、上記検索装置による上記検索の結果に基づく表示とを行う単一の表示手段と
を備える端末装置と
を有
し、
　上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送
　
に補正された。
　上記補正後の請求項１の記載は、補正前の請求項３の記載に対応するものであるが、本件補正が特許請求の範囲の減縮を目的とするものにも該当するかどうか検討する。
　本件補正は、補正前の請求項１に記載されている「検索装置」（以下「補正前の検索装置」という。）について、「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」との限定を加えようとするものである。
　まず、補正前の検索装置には、検索の結果を端末装置に転送することが明記はされていないが、補正前の請求項１に記載されている端末装置には「上記検索装置から転送された上記検索の結果を受信する第３の通信手段」を備えていると記載されているから、補正前の検索装置は、検索の結果を上記端末装置に転送する何らかの転送手段を備えているといえる。したがって、補正前の検索装置に「上記検索の結果として上記端末装置に転送する」との限定を加えようとする補正は、補正前の検索装置に元々含まれていた構成を明確にしようとするものであるといえる。
　次に、補正前の検索装置は「時刻に対応する情報に基づき上記蓄積手段に蓄積された上記コンテンツを示す情報を検索する検索手段」を備えているから、補正前の検索装置に「上記時刻に対応する情報に基づき、上記時刻に対応する情報によって示される時刻に放送された上記コンテンツを示す情報と、該コンテンツより時間的に前に放送された１または複数のコンテンツを示す情報」を検索するとの限定を加えようとする補正は、補正前の検索装置が検索するコンテンツを示す情報を、「時刻に対応する情報に基づく」ものを下位概念化した「上記時刻に対応する情報によって示される時刻及び該時刻より時間的に前の時刻に放送された」ものに限定しようとするものということができる。
　したがって、補正前の検索装置について、「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」との限定を加えようとする本件補正は、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用例
　原査定の拒絶の理由に引用された「特表平７−５００７１５号公報」（以下「引用例」という。）には、以下の事項が記載されている。
（ア）「
発明の背景
　メディアは次のような問題を長い間抱えていた。
　（Ａ）ラジオの聴取者がある曲に関心を持ちそれを買おうと思っても、曲名や演奏者がわからないことがある。ラジオ局のアナウンサーが曲名や演奏者など歌に関するさまざまな情報をアナウンスしないこともあるし、それらの情報がアナウンスされたとしても曲の前になされてしまうこともある。したがって、聴取者は次にその曲が放送されるまで待たねばならず、さらには題名や演奏者のアナウンスが曲の終了後になされるのを願わなければならない。また、曲に関する情報がアナウンスされたとしても、そのような情報を書き留めておくことが難しいような状況（聴取者が自動車を運転していたり、あるいは単に書き留めるものが手元にないなどの状況）もあろう。
　特に、コマーシャルにおいてこれは切実な問題となる。コマーシャルで聴取者が記録しなければならない情報は、広告商品を注文するための電話番号や住所など一般に記録しづらい情報である。聴取者がこれらの情報を記憶できなければ、コマーシャルの効果は低減してしまう。
　同様に、テレビの視聴者はチャネルをいろいろと回して、すでに始まっている番組を見始めることがある。そのうち、初めから番組を見たい、あるいは他の番組を現在見ているなどの理由で、再放送時に番組を見直したいと思うこともあろう。このようなときには、視聴者は現在や今後のテレビ番組表から番組の再放送時間を物理的に探さなければならない。これは手間暇のかかる作業であると同時に、数カ月経ったあとでは番組の名前を視聴者が忘れてしまうこともあり得よう。」（４ページ左上欄７行〜右上欄２行）
　
（イ）「図６は、本発明の他の実施例を概念的に示すブロック図である。本実施例は、通常のラジオやテレビに修正を加えた受信機６００である。受信機６００はラジオ受信機回路６０１、ディジタルチューナー６０３、チューナー制御回路６０４から構成され、これらはすべて標準のラジオやテレビセットに組み込まれているものである。また、多くの一般的なユニットと同様に、受信機６００は時計６０２も備えている。時計があらかじめ組み込まれていなくても、時計を付加することは容易である。なお、時計５０２は時、分、秒に加えて日も表わすものが好ましい。
　本発明によれば、受信機６００はディジタルチューナー６０４と時計６０２に接続された回路６０６を有する。この回路６０６は、ＥＥＰＲＯＭなどの不揮発性メモリ６０７を挿入するソケットや、磁気ストライプを有するカードを挿入する磁気ストライプレコーダーなどの手段６０８を備える。「放送情報」キー６０９が押されたときに回路６０６が起動する。回路６０６が起動すると、選んだ放送局の識別情報（例えば、ディジタルチューナー６０４からの周波数など）を、キー６０９が押された時点での時計６０２の値とともに、メモリ６０７に記憶する。
　・・・（中略）・・・
　ユーザに興味のある番組が放送されれば、「放送情報」キー６０９を押し、局識別情報と時刻とをメモリ６０７に記憶する。この際、受信機６００にプリセットされているユーザ識別情報を上述の目的で記憶することも可能である。
　放送番組に関する情報の検索は、ソケット６０８からメモリ６０７を取り出し、検索装置（以下、自動情報装置（ＡＩＭ）と呼ぶ）に挿入することで行われる。
　なお、ここでの実施例では、このような自動情報装置がレコード店や小売店などの多くの場所に設置されていることを想定している。
　ＡＩＭでは、メモリ６０７より放送番組の時間と局とが取り出される。これらの情報から、曲名（演奏者などの他の情報をも含むこともある）などの情報が書面として出力され、ユーザはこれに基づいて当該曲のレコードや同一演奏家の曲のレコードを買うことなどができる。
　図７はＡＩＭの構成を示すブロック図である。ＡＩＭ７００は中央処理ユニット（ＣＰＵ）７０１によって制御される。ＡＩＭの動作は、読み出し専用メモリ（ＲＯＭ）７０２に保持されている動作ソフトウェアをＣＰＵ７０１が実行することによって行われる。また、ＡＩＭ７００は時計７１３と、ＡＭ、ＦＭ、ＴＶ局の番組放送スケジュールを記憶するメモリ（オーディオテープ装置７０３、ディスク７０４、半導体メモリ７０５など）とを備える。なお、ＡＩＭ７００は、テープ７０３、ディスク７０４、半導体メモリ７０５に保持されているスケジュールや補助情報は定期的に更新されるような構成となっている。ここでの更新は、フロッピー装置７０６やモデム７０７を電話回線を介して情報提供者に接続することで行われる。
　オーディオ回路７１１に接続されているディスプレイ７０８、プリンター７１０、ヘッドホン７１２はユーザとのインタフェースをより良くするためのものである。
　ＣＰＵ７０１はソケット７０９に接続され、ユーザからのメモリ６０７がソケット７０９に挿入される。
　実際には、上述のように関心のある番組をユーザがメモリ６０７に記憶させると、メモリ６０７をＡＩＭ７００のソケット７０９に挿入する。ＣＰＵ７０１はメモリ６０７から番組識別情報（チャネル、日付、時刻）を読み出し、この識別情報を利用して識別番組に関する情報をメモリ７０３、７０４、７０５から検索する。番組に関する情報としては、例えば曲名、作者あるいは演奏者、曲が収められているレコードやアルバムの価格などが挙げられよう。また、番組そのもの、あるいは識別番組に関連する番組ということもあろう。
　・・・（中略）・・・
　取り出された情報はディスプレイに表示することも、プリンターで出力することも、テープ装置７０３からヘッドホン７１２を介して音声として出力することもできる。」（７ページ右上欄４行〜右下欄２６行）
　
　上記（ア）及び（イ）、並びに関連する図面の記載によれば、引用例には以下の発明（以下「引用例記載の発明」という。）が記載されているといえる。
「ユーザに興味のある番組が放送されたときに『放送情報』キー６０９が押されることにより、局識別情報と時刻とを記憶するＥＥＰＲＯＭなどのメモリ６０７と、
　上記メモリ６０７を挿入及び取り出し可能なソケット６０８と、
を備える受信機６００と、
　ＡＭ、ＦＭ、ＴＶ局の番組放送スケジュールを記憶するオーディオテープ装置７０３、ディスク７０４、半導体メモリ７０５などのメモリ７０３、７０４、７０５と、
　上記メモリ７０３、７０４、７０５に保持されているスケジュールや補助情報を電話回線を介して情報提供者に接続して定期的に更新するためのモデム７０７と、
　上記受信機６００のソケット６０８から取り出された上記メモリ６０７を挿入及び取り出し可能なソケット７０９と、
　上記ソケット７０９に挿入された上記メモリ６０７から取り出された局識別情報と時刻を利用して、上記メモリ７０３、７０４、７０５から番組に関する情報を検索するＣＰＵ７０１と、
　検索された情報を表示するディスプレイ７０８と、
を備える自動情報装置（ＡＩＭ）と
からなるシステム。」
　
（３）対比
　本願補正発明と引用例記載の発明を対比すると、以下の対応関係が認められる。
（あ）引用例記載の発明の「番組」は、本願補正発明の「放送されたコンテンツ」に相当する。
（い）引用例記載の発明の「受信機６００」は、本願補正発明の「入力装置」に相当する。
（う）引用例記載の発明の「ユーザに興味のある番組が放送されたときに『放送情報』キー６０９が押されること」は、本願補正発明の「所定の操作」に相当し、引用例記載の発明の上記「ユーザに興味のある番組が放送されたときに『放送情報』キー６０９が押されること」により記憶される「時刻」は、本願補正発明の「コンテンツが放送された時刻に対応する情報」に相当するから、引用例記載の発明の「ユーザに興味のある番組が放送されたときに『放送情報』キー６０９が押されることにより、局識別情報と時刻とを記憶するＥＥＰＲＯＭなどのメモリ６０７」は、本願補正発明の「少なくともコンテンツが放送された時刻に対応する情報を所定の操作により記憶する記憶手段」に相当するといえる。
（え）引用例記載の発明の「上記メモリ６０７を挿入及び取り出し可能なソケット６０８」と、本願補正発明の「上記記憶手段に記憶された上記時刻に対応する情報を外部に転送する第１の通信手段」とは、ともに記憶手段（メモリ６０７）に記憶された上記時刻（コンテンツが放送された時刻）に対応する情報を外部（端末装置、ＡＩＭ）に受け渡すための手段である点で共通する。
（お）引用例記載の発明の「ＡＭ、ＦＭ、ＴＶ局の番組放送スケジュールを記憶するオーディオテープ装置７０３、ディスク７０４、半導体メモリ７０５などのメモリ７０３、７０４、７０５」は、本願補正発明の「コンテンツを示す情報と該コンテンツの放送時刻とが対応付けられて蓄積される蓄積手段」に相当する。
（か）引用例記載の発明の「上記ソケット７０９に挿入された上記メモリ６０７から取り出された局識別情報と時刻を利用して、上記メモリ７０３、７０４、７０５から番組に関する情報を検索するＣＰＵ７０１」は、本願補正発明の「時刻に対応する情報に基づき上記蓄積手段に蓄積された上記コンテンツを示す情報を検索する検索手段」に相当する。
（き）引用例記載の発明の「上記受信機６００のソケット６０８から取り出された上記メモリ６０７を挿入及び取り出し可能なソケット７０９」と、本願補正発明の「上記入力装置から上記第１の通信手段によって転送された上記時刻に対応する情報を受信する第２の通信手段」とは、ともに上記入力装置（受信機６００）から転送された上記時刻（コンテンツが放送された時刻）に対応する情報を受け取る手段である点で共通する。
（く）引用例記載の発明の「検索された情報を表示するディスプレイ７０８」と、本願補正発明の「上記第２の通信手段によって受信された上記時刻に対応する情報に基づく表示と、上記検索装置による上記検索の結果に基づく表示とを行う単一の表示手段」とは、ともに上記検索された情報を表示する表示手段である点で共通する。
（け）引用例記載の発明の「自動情報装置（ＡＩＭ）」は、「レコード店や小売店などの多くの場所に設置され」、メモリ７０３、７０４、７０５、モデム７０７、ソケット７０９、ＣＰＵ７０１、ディスプレイ７０８などを備えた「端末装置」と呼び得るものである。
（こ）引用例記載の「受信機６００」と「自動情報装置（ＡＩＭ）」とからなるシステムは、「放送されたコンテンツを検索する検索システム」と呼び得るものである。
　
　したがって、本願補正発明と引用例記載の発明の間には、以下の一致点、相違点があるといえる。
（一致点）
「放送されたコンテンツを検索する検索システムにおいて、少なくともコンテンツが放送された時刻に対応する情報を所定の操作により記憶する記憶手段と、
　上記記憶手段に記憶された上記時刻に対応する情報を外部に受け渡すための手段と
を備える入力装置と、
　上記入力装置から転送された上記時刻に対応する情報を受け取る手段と、
　上記検索された情報を表示する表示手段と
を備える端末装置と
　コンテンツを示す情報と該コンテンツの放送時刻とが対応付けられて蓄積される蓄積手段と、
　時刻に対応する情報に基づき上記蓄積手段に蓄積された上記コンテンツを示す情報を検索する検索手段と
を有する検索システム。」である点。
　
（相違点１）
　「上記記憶手段に記憶された上記時刻に対応する情報を外部に受け渡すための手段」が、本願補正発明においては、「上記記憶手段に記憶された上記時刻に対応する情報を外部に転送する第１の通信手段」であるのに対し、引用例記載の発明の該手段は、「上記メモリ６０７を挿入及び取り出し可能なソケット６０８」であって、「上記記憶手段に記憶された上記時刻に対応する情報を外部に転送する第１の通信手段」ではない点。
　
（相違点２）
　「上記入力装置から転送された上記時刻に対応する情報を受け取る手段」が、本願補正発明においては、「上記入力装置から上記第１の通信手段によって転送された上記時刻に対応する情報を受信する第２の通信手段」であるのに対し、引用例記載の発明の該手段は、「上記受信機６００のソケット６０８から取り出された上記メモリ６０７を挿入及び取り出し可能なソケット７０９」であって、「上記入力装置から上記第１の通信手段によって転送された上記時刻に対応する情報を受信する第２の通信手段」ではない点。
　
（相違点３）
　本願補正発明の検索システムは、検索装置を有し、該検索装置が蓄積手段と検索手段を備えるとともに、端末装置が「上記第２の通信手段により受信された上記時刻に対応する情報を上記検索装置に転送し、上記検索装置から転送された上記検索の結果を受信する第３の通信手段」を備えているのに対し、引用例記載の発明の検索システムは、検索装置を有さず、端末装置が該蓄積手段と検索手段を備えるものであって、該端末装置は「上記第２の通信手段により受信された上記時刻に対応する情報を上記検索装置に転送し、上記検索装置から転送された上記検索の結果を受信する第３の通信手段」を備えていない点。
　
（相違点４）
　「上記検索された情報を表示する表示手段」が、本願補正発明においては、「上記第２の通信手段によって受信された上記時刻に対応する情報に基づく表示と、上記検索装置による上記検索の結果に基づく表示とを行う単一の表示手段」であるのに対し、引用例記載の発明の該手段は、「検索された情報を表示するディスプレイ７０８」であって、「上記第２の通信手段によって受信された上記時刻に対応する情報に基づく表示と、上記検索装置による上記検索の結果に基づく表示とを行う単一の表示手段」ではない点。
　
（相違点５）
　本願補正発明においては、「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」のに対し、引用例記載の発明においては、検索手段は時刻に対応する情報に基づき、上記時刻に対応する情報によって示される時刻に放送された上記コンテンツを示す情報を検索するものであるが、「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」ものではない点。
　
（４）当審の判断
（相違点１）及び（相違点２）について
　引用例記載の発明は、時刻に対応する情報を記憶したメモリ６０７を、受信機６００のソケット６０８から取り出してＡＩＭのソケット７０９に挿入することで情報を受信機６００からＡＩＭに転送する構成であるが、引用例には引用例記載の発明とは別の実施例について、以下の記載がある。
（ウ）「ユニット８００は、上述のようにＡＩＭに接続するためのプラグ８０７をも備える。実際には、ユーザはプリセットキーあるいはマニュアルでユニット８００を聞いている局にセットする。ユーザが番組に関心を持ち、当番組に関する情報を得たいと望んだ場合には、「情報」キー８１０を押す。この動作により、時計８０２の時刻と局識別情報とがメモリ８０５に記憶される。これらの情報を用いて上述のようにＡＩＭから情報を取り出すことができる。」（８ページ右上欄５行〜１０行）
　
　引用例における上記（ウ）及び図８、図９の記載を参照すると、ユニット８００は、メモリ等の記憶媒体を抜き差しすることなく、プラグ８０７という通信手段を用いて直接、ＡＩＭに接続して情報を取り出すことが示されているといえる。本願の出願時において、上記プラグやＵＳＢポートなどの通信手段を用いることで、メモリ等を物理的に抜き差しすることなく簡単に複数の装置間で情報を転送することは周知技術であり、引用例記載の発明においても、受信機６００からＡＩＭに時刻に対応する情報を転送する際に、メモリ６０７の代わりに上記周知技術を用いて簡単に情報を転送することが有益であることは当業者に自明である。したがって、引用例記載の発明における受信機６００の「メモリ６０７を挿入及び取り出し可能なソケット６０８」を「上記記憶手段に記憶された上記時刻に対応する情報を外部に転送する第１の通信手段」（相違点１）とし、ＡＩＭの「上記受信機６００のソケット６０８から取り出された上記メモリ６０７を挿入及び取り出し可能なソケット７０９」を「上記入力装置から上記第１の通信手段によって転送された上記時刻に対応する情報を受信する第２の通信手段」（相違点２）とすることは当業者が容易に想到し得たことである。
　
（相違点３）について
　引用例記載の発明は、ＡＩＭ（端末装置）がメモリ７０３、７０４、７０５（蓄積手段）に保持されているスケジュールや補助情報を検索するものであるが、これらの情報は、ＡＩＭがモデム７０７を用いて電話回線を介して「情報提供者」に接続して定期的に更新している。ここで、上記「情報提供者」とは、情報提供者が有する何らかの装置を指していることは明らかである。そして、引用例には引用例記載の発明とは別の実施例について、以下の記載がある。
（エ）「ステップ４０３において、ユーザは電話番号を入力することができる。電話番号は、局から放送される番組を保持している番組情報検索システムから、情報を検索する際に用いられる。ここで、電話番号は新聞（例えば、ＴＶ／ラジオ欄）やテレビガイドなどの刊行物において、テレビ／ラジオ局から提供されるものとしている。なお、電話番号は番組情報検索システムを自ら有している局自身の電話番号でも良いし、いくつかの局の放送番組スケジュール／情報をＰＩＲＳに保持している中央センターの電話番号でも良い。」（６ページ左上欄１１行〜１７行）
　
　上記（エ）の記載からは、ユーザは番組を提供する局自身が有している、あるいは中央センターが保持している番組情報検索システムに電話回線を介して接続して、情報を検索することが示されているといえる。また一般に、情報を端末装置が備えるオーディオテープ装置、ディスク、半導体メモリなどのメモリから検索するか、電話回線を介して情報提供者の装置（情報検索システム）から検索するかはその端末装置の備えるメモリの容量、利用頻度、電話回線の回線使用料や通信速度などに応じて当業者が適宜選択する設計的事項である。してみると、引用例記載の発明において、スケジュールや補助情報をＡＩＭが備えるメモリ７０３、７０４、７０５から検索する構成とするか、モデム７０７を用いて電話回線を介して情報提供者の装置（番組情報検索システム）から検索する構成とするかは、ＡＩＭの備えるメモリの容量、利用頻度、電話回線の回線使用料や通信速度などに応じて当業者が適宜選択する設計的事項であるといえる。そして上記情報提供者の装置は上記スケジュールや補助情報を記憶した蓄積手段及び検索手段を備えた検索装置と呼び得るものであって、ＡＩＭが備えるモデム７０７は該検索装置に時刻を転送して、該検索装置から転送された検索の結果を受信する通信手段と呼び得るものである。
　したがって、引用例記載の発明の検索システムに検索装置を設け、該検索装置が蓄積手段と検索手段を備えるとともに、端末装置（ＡＩＭ）が上記第２の通信手段により受信された上記時刻に対応する情報を上記検索装置に転送し、上記検索装置から転送された上記検索の結果を受信する第３の通信手段を備える構成とすることは、当業者が容易に想到し得たことである。
　
（相違点４）について
　引用例記載の発明は、ＡＩＭ（端末装置）が検索した番組に関する情報を単一の表示手段と呼び得る「ディスプレイ７０８」に表示するものであるが、引用例には、該ディスプレイ７０８に入力装置（受信機６００）から受け取った時刻に対応する情報と検索結果との両方を表示することについて明記はされていない。しかしながら、引用例には引用例記載の発明とは別の実施例について、以下の記載がある。
（オ）「ユーザはユニット１００を１つの局に合わせて、ヘッドホンを用いて放送を聞くことができる。局からの番組（音楽、実況、コマーシャルなど）がユーザにとって関心を引くものである場合には、「放送情報」キー１１２を押す。すると、ステップ４１１が実行され、ＣＰＵ２０１は局の識別情報を「放送情報」キー１１２が押された時刻とともにＲＡＭ２０３の不揮発性の部位に記憶する。
　・・・（中略）・・・
　「レビュー」キー１１３が押されると、ＲＡＭ２０３に保持していた番組識別情報が取り出され（ステップ４１４）、ディスプレイ１０１に表示される（ステップ４１５）。
　・・・（中略）・・・
　「レビューキー」１１３を押して番組識別情報を表示しているとき、ユーザはＲＡＭ２０３から以前に記憶した識別番組を選択して削除することもできる。これは、まずカーソルキー９０で削除したい識別番組を選択し、続いて「キャンセルキー」１１８を押すことで行われ、選択された識別番組に対応する情報がＲＡＭ２０３から削除される（ステップ４２０）。
　伝送が終了すると、ユーザは補助情報を直接テープレコーダーから聞くことができる。あるいは、ＣＰＵ２０１がテープ上の信号を解釈して表示部１０１に表示するテキストデータを生成することも可能である。」（６ページ右上欄１１行〜右下欄２８行）
　
　上記「ディスプレイ１０１」と「表示部１０１」とは同一のものを指しているといえるから、上記（オ）の記載からは、番組識別情報と、番組に関する情報が検索された結果であるテキストデータとの両方をディスプレイ１０１に表示することが示されているといえる。してみると、引用例記載の発明においても、番組識別情報（時刻に対応する情報）と番組に関する情報の検索結果との両方をディスプレイ７０８に表示すること、すなわち引用例記載の発明のディスプレイ７０８を「上記第２の通信手段によって受信された上記時刻に対応する情報に基づく表示と、上記検索装置による上記検索の結果に基づく表示とを行う単一の表示手段」とすることは当業者が容易に想到し得たことである。
　
（相違点５）について
　所定の時刻に放送される番組に関する情報を検索する場合に、該所定の時刻に放送される番組に関する情報のみならず、該番組よりも時間的に前に放送される番組に関する情報や、時間的に後に放送される番組に関する情報をも検索結果として表示することは周知技術である。例えば、特開平１０−４２２０７号公報には、以下の記載がある。
（カ）「【００３７】次に、番組表生成手段８４が実行される。番組表生成手段８４は、番組表イメージ記憶手段８２から番組表６０を取得し、入力一体型表示手段４へ表示する。そしてタイマー３から現在の時刻を取得する。以下、現在の時刻を７時３０分として説明する。そして番組情報テーブル８３から現在放送中の番組を検索する。図２では、番組６０１、番組６０２、番組６０３が該当する。そして検索された番組である番組６０１、番組６０２、番組６０３の占める部分を図２のように強調表示する。これにより、使用者は番組表６０の中から現在放送中の番組である番組６０１、番組６０２、番組６０３を認識することができる。番組表生成手段８４は、いったん実行されるとテレビジョン番組案内選択装置１０の動作が終了するまで繰り返し動作し続けるので、入力一体型表示手段４には、常にその時点で放送されている番組が強調表示される。
　・・・（中略）・・・
【００３９】なお、上述説明では、番組選択手段８５は、放送中でない番組を選択した場合も無条件にチャンネルをその番組のチャンネルに変更したが、放送中でない番組を選択した際、例えば、図２で現在時刻７時３０分でＡＡＡテレビの８時３０分から始まる「連続ドラマ」を選択した場合は、入力一体型表示手段４に「ビデオ予約しますか」とダイアログを表示して、Yesならビデオの自動予約をするようにしても良い。このようにすればビデオの予約を用意にすることができる。この場合、ＴＶ制御手段６がテレビジョンと同様にビデオテープレコーダ（ＶＴＲ）の制御ができることが必要であり、予約後は番組表６０上の予約をした番組を認識可能に強調表示する。Noの場合は、その時間になったらテレビジョン受像機４０の電源をＯＮにしてそのチャンネルＡＡＡにするか、もしくはＯＮの場合は強制的にチャンネルだけをＡＡＡテレビにすれば良い。」
　
（キ）図２には、現在放送中の番組を強調表示しつつ、その前後の番組をも検索結果として表示することが示されている。
　
　そして、引用例記載の発明においても、所定の時刻に放送される番組に関する情報（コンテンツを示す情報）のみならず、該番組よりも時間的に前に放送される番組に関する情報や、時間的に後に放送される番組に関する情報を検索結果として表示することがユーザに有益であることは当業者に自明であるから、引用例記載の発明に上記「（相違点３）について」で検討した「検索装置」を設ける際に、上記周知技術を適用し、検索装置が所定の時刻に放送された番組に関する情報のみならず、該番組よりも時間的に前に放送された１または複数の番組に関する情報をも検索結果としてＡＩＭに転送し、該ＡＩＭが該検索結果を表示する構成とすること、すなわち「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」構成とすることは当業者が容易に想到し得たことである。
　
　よって、本願補正発明は、引用例記載の発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．補正却下の決定を踏まえた検討
（１）本願発明
　平成２０年５月１９日付けの手続補正は上記のとおり却下されたので、本願の請求項１に係る発明（以下、「本願発明」という。）は、平成２０年２月２２日付け手続補正書の特許請求の範囲の請求項１に記載された以下のとおりのものである。
「放送されたコンテンツを検索する検索システムにおいて、少なくともコンテンツが放送された時刻に対応する情報を所定の操作により記憶する記憶手段と、
　上記記憶手段に記憶された上記時刻に対応する情報を外部に転送する第１の通信手段と
を備える入力装置と、
　コンテンツを示す情報と該コンテンツの放送時刻とが対応付けられて蓄積される蓄積手段と、
　時刻に対応する情報に基づき上記蓄積手段に蓄積された上記コンテンツを示す情報を検索する検索手段と
を備える検索装置と、
　上記入力装置から上記第１の通信手段によって転送された上記時刻に対応する情報を受信する第２の通信手段と、
　上記第２の通信手段により受信された上記時刻に対応する情報を上記検索装置に転送し、上記検索装置から転送された上記検索の結果を受信する第３の通信手段と、
　上記第２の通信手段によって受信された上記時刻に対応する情報に基づく表示と、上記検索装置による上記検索の結果に基づく表示とを行う単一の表示手段と
を備える端末装置と
を有することを特徴とする検索システム。」
　
（２）引用例
　原査定の拒絶の理由に引用された引用例、及びその記載事項は、前記２．（２）に記載したとおりである。
　
（３）対比・判断
　本願発明は、前記２．で検討した本願補正発明の「検索装置」について、「上記検索装置は、上記時刻に対応する情報に基づき、上記時刻に対応する情報によって示される時刻に放送された上記コンテンツを示す情報と、該コンテンツより時間的に前に放送された１または複数のコンテンツを示す情報とを上記検索の結果として上記端末装置に転送する」との限定を省いたものである。
　そうすると、本願発明の構成要件をすべて含み、さらに構成要件の一部を限定したものに相当する本願補正発明が、前記２．に記載したとおり、引用例記載の発明及び周知技術に基づいて、当業者が容易に発明をすることができたものであるから、本願発明も同様の理由により、引用例記載の発明及び周知技術に基づいて、当業者が容易に発明をすることができたものである。
　
（４）むすび
　以上のとおり、本願発明は、引用例記載の発明及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。